(57)【要約】      （修正有）【課題】吸引口に塵埃などが挟まって吸引性能が低下するおそれがない吸引式清浄装置を提供する。【解決手段】上方開口部2aを有する偏平箱形のケーシング2と、ケーシング2内に配置された複数の踏板ユニット3と、ケーシング2にその内部に通じるように接続された吸引装置とを備え、各踏板ユニット3は、上壁部に複数の吸引孔311aを有し下壁部にケーシング2内との連通口を有する踏板本体と、踏板本体の内部に踏板本体に対して上下方向相対移動可能に配置され踏板本体の下壁部に重ねられた際に連通口を塞ぎうる水平板状の蓋体と、蓋体の下面から連通口を通じてケーシング2の底部まで延びる支持脚体と、踏板本体の連通口が蓋体によって塞がれるように踏板本体を上向きに付勢する付勢手段とを備えている。【選択図】図１
2014233324.tif 000002
【特許請求の範囲】
【請求項１】
上方開口部を有する偏平箱形のケーシングと、ケーシングの上方開口部を塞ぐようにケーシング内に水平方向に並んで配置された複数の踏板ユニットと、ケーシングにその内部に通じるように接続された吸引装置とを備えており、
各踏板ユニットは、上壁部に複数の吸引孔を有し下壁部にケーシング内との連通口を有する中空ブロック状の踏板本体と、
踏板本体の内部に踏板本体に対して上下方向相対移動可能に配置され踏板本体の下壁部に重ねられた際に連通口を塞ぎうる水平板状の蓋体と、
蓋体の下面から連通口を通じてケーシングの底部まで延びる支持脚体と、
踏板本体が上方から荷重を受けていない状態のときに踏板本体の連通口が蓋体によって塞がれるように踏板本体を上向きに付勢する付勢手段とを備えており、
吸引装置を作動させた状態で任意の踏板ユニットの上に被清浄物が乗ると、その荷重により踏板本体が下降して連通口が開放され、被清浄物の付着物が吸引孔を通じて吸引装置により吸引除去されることを特徴とする吸引式清浄装置。
【請求項２】
隣り合う踏板ユニットどうしの間に、踏板本体の昇降を案内する垂直なガイドプレートが設けられており、ガイドプレートは、その上端縁が、踏板本体の上に乗った被清浄物と接することにより、踏板本体が連通口を開放した下降位置から更に下降しないように規制しうる高さに配置されていることを特徴とする請求項１記載の吸引式清浄装置。
【請求項３】
各踏板ユニットにおける踏板本体の上面に、吸引孔を避けて複数の滑り止め用突起が設けられていることを特徴とする請求項１または２に記載の吸引式清浄装置。
【発明の詳細な説明】
【技術分野】
【０００１】
この発明は、靴底や台車の車輪などに付着した塵埃や土等を除去する吸引式清浄装置に関するものである。
【背景技術】
【０００２】
人や台車等が工場やクリーンルームに入る際、室内を清潔に保つために靴や車輪に付着した塵埃や土等を除去して入室する必要があり、その入り口に塵埃や土等を除去する装置が設置されることがある。
【０００３】
塵埃や土等を除去する装置としては、例えば、吸引式清浄装置が採用されている。
【０００４】
吸引式清浄装置としては、例えば、吸塵ボックスと、吸塵ボックスに接続された集塵機とを備え、吸塵ボックスの上面板に多数の吸引口が設けられ、これらの吸引口が、弾性体によって上方に付勢された半球面状の可動部材により塞がれており、靴底や台車の車輪の通過に伴い可動部材が下方に押されることによって吸引口が開放し、該吸引口を通じて、靴底や車輪の付着物が吸引除去されるようになっているものが知られている（特許文献１参照）。
【先行技術文献】
【特許文献】
【０００５】
【特許文献１】特許第３４５２８５９号
【発明の概要】
【発明が解決しようとする課題】
【０００６】
上記のような吸引式清浄装置は、吸塵ボックスの上面板に空けられた吸引口が被清浄物の荷重を受ける可動部材の上下動によって開閉されるようになっているため、吸引口の周縁部と可動部材との間に塵埃等が挟まり吸引性能が低下するおそれがある。
【０００７】
この発明の目的は、吸引口に塵埃などが挟まって吸引性能が低下するおそれがない吸引式清浄装置を提供することにある。
【課題を解決するための手段および発明の効果】
【０００８】
この発明による吸引式清浄装置は、上方開口部を有する偏平箱形のケーシングと、ケーシングの上方開口部を塞ぐようにケーシング内に水平方向に並んで配置された複数の踏板ユニットと、ケーシングにその内部に通じるように接続された吸引装置とを備えており、各踏板ユニットは、上壁部に複数の吸引孔を有し下壁部にケーシング内との連通口を有する中空ブロック状の踏板本体と、踏板本体の内部に踏板本体に対して上下方向相対移動可能に配置され踏板本体の下壁部に重ねられた際に連通口を塞ぎうる水平板状の蓋体と、蓋体の下面から連通口を通じてケーシングの底部まで延びる支持脚体と、踏板本体が上方から荷重を受けていない状態のときに踏板本体の連通口が蓋体によって塞がれるように踏板本体を上向きに付勢する付勢手段とを備えており、吸引装置を作動させた状態で任意の踏板ユニットの上に被清浄物が乗ると、その荷重により踏板本体が下降して連通口が開放され、被清浄物の付着物が吸引孔を通じて吸引装置により吸引除去されることを特徴とするものである。
【０００９】
上記の吸引式清浄装置によれば、吸引装置を作動させた状態で上方から任意の踏板ユニットの上に被清浄物が乗ると踏板本体に下方の荷重がかかり、それによって踏板本体が下降して連通口が開放され、被清浄物の付着物が吸引孔から連通孔を通り、吸引装置に吸引されて付着物が除去されるようになされているので、従来の装置のように、吸引口に塵埃などが挟まって不具合が生じるおそれがない。
【００１０】
本発明による吸引式清浄装置において、隣り合う踏板ユニットどうしの間に、踏板本体の昇降を案内する垂直なガイドプレートが設けられており、ガイドプレートは、その上端縁が、踏板本体の上に乗った被清浄物と接することにより、踏板本体が連通口を開放した下降位置から更に下降しないように規制しうる高さに配置されていることが好ましい。
【００１１】
上記のようなガイドプレートが設けられていると、上方からの荷重を受けた踏板本体が下降する際に、隣り合う踏板本体どうしが接触しないので、スムーズに踏板本体を下降させることができる。また、上記のようなガイドプレートが設けられていると、上方からの荷重を受けた踏板本体が下降する際、その上面がガイドプレートの上端縁まで下降するので、踏板本体が下降する際の位置決めをすることができる。
【００１２】
本発明による吸引式清浄装置において、各踏板ユニットにおける踏板本体の上面に、吸引孔を避けて複数の滑り止め用突起が設けられていることが好ましい。
【００１３】
上記のような突起が設けられていると、被清浄物が踏板本体の上面に乗った際に、同上面の突起と被清浄物との間で生じる摩擦力により被清浄物が滑ることを防ぐことができる。
【図面の簡単な説明】
【００１４】
【図１】本発明の実施形態を示すものであって、吸引式清浄装置の平面図である。
【図２】踏板ユニットの平面図である。
【図３】踏板ユニットの分解斜視図である。
【図４】（ａ）は、図１のＡ―Ａ線に沿った部分拡大縦断面図である。（ｂ）は、図１のＢ−Ｂ線に沿った部分拡大縦断面図である。
【図５】（ａ）は、被清浄物が上に乗った状態における図１のＡ―Ａ線に沿った縦断面図である。（ｂ）は、図１のＢ−Ｂ線に沿った縦断面図である。
【発明を実施するための形態】
【００１５】
以下、図面を参照して、この発明の実施の形態を説明する。
この実施形態において、図１の右側を「右」、左側を「左」というものとする。また、図１の上側を「前」、下側を「後」というものとする。
図１〜図５に示すように、吸引式清浄装置(1)は、上方開口部(2a)を有する偏平箱形のケーシング(2)と、ケーシング(2)の上方開口部(2a)を塞ぐようにケーシング(2)内に水平方向に並んで配置された複数の踏板ユニット(3)と、ケーシング(2)にその内部に通じるように接続された吸引装置（図示略）とを備えている。
【００１６】
ケーシング(2)は、平面より見て正方形であり、底部(21)と、底部(21)の周縁から垂直上向きに設けられた前後左右の側壁(22)と、前後左右の側壁(22)の上縁から内方に延びた環状の上壁(23)と、上壁(23)の内縁から下方へ向かって延びた垂下壁(24)とから形成されている。
ケーシング(2)の右側壁(22)には、ケーシング(2)の内部と連通した接続口(22a)が２箇所設けられて吸引装置から延びたホースなどの配管（図示略）が接続される。吸引装置は、例えば、ターボファンによって構成されている。また、接続口(22a)は、１箇所でもよく、３箇所以上でもよい。
踏板ユニット(3)は、ケーシング(2)内の前後左右に６列ずつ配置させられている。
【００１７】
図２および図３に示すように、各踏板ユニット(3)は、上壁部(311)に複数の吸引孔(311a)を有し下壁部(312)にケーシング(2)内との連通口(312a)を有する中空ブロック状の踏板本体(31)と、踏板本体(31)の内部に踏板本体(31)に対して上下方向相対移動可能に配置され踏板本体(31)の下壁部(312)に重ねられた際に連通口(312a)を塞ぎうる水平板状の蓋体(32)と、蓋体(32)の下面から連通口(312a)を通じてケーシング(2)の底部(21)まで延びる支持脚体(33)と、踏板本体(31)が上方から荷重を受けていない状態のときに踏板本体(31)の連通口(312a)が蓋体(32)によって塞がれるように踏板本体(31)を上向きに付勢する付勢手段(34)とを備えている。
【００１８】
踏板本体(31)は、平面より見て正方形の箱形であり、上壁部(311)と、上壁部(311)の周縁から下方に延びて設けられた周壁部(313)と、中央に円形状の連通口(312a)を有する下壁部(312)とから構成されている。踏板本体(31)の上壁部(311)の一辺の長さは、約１０ｃｍとされている。
【００１９】
踏板本体(31)の上壁部(311)には、吸引孔(311a)を避けて複数の滑り止め用突起(311b)が形成されている。踏板本体(31)は、前側および後側の周壁部(313)の下縁を前後方向内側に屈曲させることにより折曲縁部(314)が形成され、各折曲縁部(314)の左右端部に開けられた第１ビス挿通孔(314a)と下壁部(312)の四隅に開けられた第１ビス孔(312b)とが重ね合わされて上方からビス(35)が第１ビス挿通孔(314a)を通り第１ビス孔(312b)に螺合されることにより形成されている。
【００２０】
蓋体(32)は、その周縁が連通口(312a)の周縁と係合して連通口(312a)を塞ぎうるように連通口(312a)より僅かに大きい円形に形成されている。蓋体(32)には、その中央近傍の左右２箇所にそれぞれ２つ開けられた計４つの第１ピン挿通孔(32a)と、第１ピン挿通孔(32a)より右寄りと左寄りの１箇所にそれぞれ１つ開けられた計２つの第２ビス挿通孔(32b)とが形成されている。
【００２１】
支持脚体(33)は、蓋体(32)の第１ピン挿通孔(32a)に重なる位置に空けられた計４つの第２ピン挿通孔(331a)および蓋体(32)の第２ビス挿通孔(32b)に重なる位置に空けられた計２つの第２ねじ孔(331b)を有する平面部(331)と、平面部(331)の前辺および後辺から連なって垂直下向きにケーシング(2)の底部(21)まで延びて左右方向に広がった脚部(332)とから構成されている。
【００２２】
上方から蓋体(32)の第２ビス挿通孔(32b)を挿通したビス(36)が支持脚体(33)の第２ねじ孔(331b)に螺合されて蓋体(32)と支持脚体(33)とが固定されている。
また、蓋体(32)の第１ピン挿通孔(32a)および支持脚体(33)の第２ピン挿通孔(331a)に、蓋体(32)の上方から上下方向に移動可能に頭部(37a)を有するピン(37)が通されている。
【００２３】
付勢手段(34)は、蓋体(32)の第１ピン挿通孔(32a)および支持脚体(33)の第２ピン挿通孔(331a)に挿通されたピン(37)に被せられたスプリングとされている。スプリングの上端は、ピン(37)の頭部(37a)に受けられ、スプリングの下端は、蓋体(32)に受けられている。なお、付勢手段(34)は、スプリングに限定されず、例えば、ゴム等のその他の弾性体を利用することも可能である。また、付勢手段(34)は、蓋体(32)と踏板本体(31)の上壁部(311)との間に設けられることに限定されず、例えば、スプリングを踏板本体(31)の下壁部(312)とケーシング(2)の底部(21)との間に設けてもよい。
【００２４】
図４および図５（ｂ）に示すように、上方からの荷重を受けていない各踏板ユニット(3)の上壁部(311)は、ケーシング(2)の上壁(23)と同じ高さで面一となっている。また、隣り合う踏板ユニット(3)どうしの間に、踏板本体(31)の昇降を案内する垂直なガイドプレート(4)が設けられている。ガイドプレート(4)は、その上端縁(4a)が、踏板本体(31)の上に乗った被清浄物と接することにより、踏板本体(31)が連通口(312a)を開放した下降位置から更に下降しないように規制しうる高さに配置されている。また、ケーシング(2)の垂下壁(24)は、ガイドプレート(4)と同様に踏板本体(31)がスムーズに下降しうるように踏板本体(31)を案内している。
【００２５】
ガイドプレート(4)は、長手方向に複数間隔をあけ下方に突出してケーシング(2)の底部(21)にのった脚部(41a)が形成され、前後に並ぶ各踏板ユニット(3)の間に左右方向に延びて設けられた第１仕切板(41)と、左右に並ぶ各踏板ユニット(3)の間に前後方向に延びて設けられた第２仕切板(42)とによりなっている。第１仕切板(41)には、その上端縁(4a)から下向きに切り込まれたスリットが前後の踏板ユニット(3)の間に相当する位置に形成され、第２仕切板(42)には、その下端縁から上向きに切り込まれたスリットが左右の踏板ユニット(3)の間に相当する位置に形成されている。ガイドプレート(4)は、第１仕切板(41)のスリットと第２仕切板(42)のスリットとが嵌め込まれることにより平面よりみて格子状に形成されている。各踏板本体(31)とガイドプレート(4)との間は、０．５ｍｍ程度の僅かな間隔が空けられている。
【００２６】
この発明は、任意の踏板ユニット(3)の上に人や台車が乗ることによって、上方からの荷重を踏板ユニット(3)が受けるものとされている。
上方からの荷重が踏板ユニット(3)に加わることによって踏板本体(31)が下降すると、踏板本体(31)に対して相対的に蓋体(32)が上方へ移動するので、これによって連通口(312a)が開放される。上方からの荷重が除かれると、スプリングの弾性力により踏板本体(31)が上方に付勢されて元の位置にまで戻り再び連通口(312a)が塞がれる。
【００２７】
次に、この発明の吸引式清浄装置(1)を用いて、靴底(5a)に付着した塵埃などを吸引除去する工程を説明する。
靴(5)を履いた人(6)が踏板ユニット(3)に乗る前に、ケーシング(2)の右側壁(22)の接続口(22a)に吸引装置を接続し吸引装置を作動させておく。この状態では、踏板ユニット(3)の連通口(312a)に蓋体(32)が重なっているので、踏板本体(31)の内部と吸引装置が接続された接続口(22a)と遮断されている。
【００２８】
図５(a)の二点鎖線で示すように、靴(5)を履いた人(6)が踏板ユニット(3)に乗ると、荷重を受けた踏板本体(31)が下降してこれに対して相対的に蓋体(32)が上昇する。これにより、連通口(312a)が開放され踏板本体(31)の内部と吸引装置が接続された接続口(22a)とが連通する。すると、吸引装置による吸引作用により靴底(5a)に付着した塵埃などがその下にある踏板本体(31)の吸引孔(311a)を通じて吸引される。吸引された塵埃などの付着物は、踏板本体(31)の内部から連通口(312a)を通り、ケーシング(2)の内部を通って吸引装置に吸引される。
【００２９】
この発明の吸引式清浄装置(1)において、踏板本体(31)の吸引口(311a)自体の開閉は行われず、連通口(312a)を有する踏板本体(31)が蓋体(32)に対して上下に相対移動することによって連通口(312a)の開閉が行われるため、従来技術のように吸引口とその可動部材との間に塵埃などの付着物が挟まって吸引性能が低下するという問題が生じない。
【００３０】
この実施形態において、靴底(5a)に付着した塵埃などを吸引する工程について説明したが、例えば、台車の車輪に付着した塵埃などについても同様に吸引することができる。また、この実施形態では、踏板本体(31)の上面に突起(311b)が形成された状態について説明したが、踏板本体(31)の上面に突起(311b)が形成されていなくてもよい。
【符号の説明】
【００３１】
(2)           ケーシング
(2a)         開口部
(21)         底部
(3)           踏板ユニット
(31)         踏板本体
(311)         上壁部
(311a)       吸引孔
(311b)       突起
(312)         下壁部
(312a)       連通口
(32)         蓋体
(33)         支持脚体
(34)         付勢手段
(4)           ガイドプレート
(4a)         上端縁
【図１】
2014233324.tif 000003
【図２】
2014233324.tif 000004
【図３】
2014233324.tif 000005
【図４】
2014233324.tif 000006
【図５】
2014233324.tif 000007